(57)【要約】【課題】アバターも情報伝達機能を有するブログサービスを提供できるブログサービス提供システムを提供する。【解決手段】ブログサービス提供システムは、アバターの表示に利用する画像データ組み合わせを変えることにより、外観の異なる複数種類のアバターを表示可能な画像データ群を記憶した記憶手段と、各ユーザが自身のブログに最も最近書き込んだ情報の内容を解析することにより、記憶手段に記憶されている画像データ群の中から、各ユーザのアバターの表示に用いる複数の画像データの組み合わせを決定する組み合わせ決定手段と、画像データ決定手段により各ユーザについて決定された組み合わせの画像データを用いて、各ユーザに、アバターが表示されるブログページを提供するブログページ提供手段とを備える。【選択図】図２１
2012079073.tif 000002
【特許請求の範囲】
【請求項１】
アバターがブログページ上に表示されるブログサービスを提供するためのブログサービス提供システムであって、
アバターの表示に利用する画像データ組み合わせを変えることにより、外観の異なる複数種類のアバターを表示可能な画像データ群を記憶した記憶手段と、
各ユーザが自身のブログに最も最近書き込んだ情報の内容を解析することにより、前記記憶手段に記憶されている画像データ群の中から、各ユーザのアバターの表示に用いる複数の画像データの組み合わせを決定する組み合わせ決定手段と、
前記画像データ決定手段により各ユーザについて決定された組み合わせの画像データを用いて、各ユーザに、アバターが表示されるブログページを提供するブログページ提供手段と
を備えることを特徴とするブログサービス提供システム。
【請求項２】
前記ブログページ提供手段が、
幾つかの物品を所持したアバターが表示されるブログページを提供する手段であり、
各ユーザが他人のブログに対して過去の一定期間内に行った行為の内容に基づき、各ユーザのアバターに所持させる物品の種類を決定する所持品変更手段を、さらに備える
ことを特徴とする請求項１記載のブログサービス提供システム。
【請求項３】
前記ブログページ提供手段が、
背景画像上にアバターが表示されるブログページを提供する手段であり、
各ユーザの所在地域を特定するための所在地域特定手段と、
各地域の天候を特定するための天候特定手段と、
前記天候特定手段により天候が特定できた各地域に所在している各ユーザのアバターの背景画像を、特定できた天候を表すものに変更する背景変更手段と
をさらに備える
ことを特徴とする請求項１又は請求項２に記載のブログサービス提供システム。
【請求項４】
前記天候特定手段が、
各ユーザがブログに書き込んだ情報に基づき、各ユーザの所在地域における天候の特定を試みる手段である
ことを特徴とする請求項１乃至請求項３のいずれかに記載のブログサービス提供システム。
【発明の詳細な説明】
【技術分野】
【０００１】
本発明は、ブログサービスを提供するためのブログサービス提供システムに関する。
【背景技術】
【０００２】
周知のように、ブログサービスの中には、ブログ上にアバターを表示できるものが存在している。そして、そのようなブログサービスは、通常、ブログ上に表示するアバターの外観をユーザが自由に編集できるものとなっているのであるが、既存のブログサービスのアバターは、ユーザの識別情報としての意味しかないものとなっている。
【先行技術文献】
【特許文献】
【０００３】
【特許文献１】特開２０１０−６７２４０号公報
【発明の概要】
【発明が解決しようとする課題】
【０００４】
そこで、本発明の課題は、アバターも情報伝達機能を有するブログサービスを提供できるブログサービス提供システムを提供することにある。
【課題を解決するための手段】
【０００５】
上記課題を解決するために、本発明の、アバターがブログページ上に表示されるブログサービスを提供するためのブログサービス提供システムは、アバターの表示に利用する画像データ組み合わせを変えることにより、外観の異なる複数種類のアバターを表示可能な画像データ群を記憶した記憶手段と、各ユーザが自身のブログに最も最近書き込んだ情報の内容を解析することにより、記憶手段に記憶されている画像データ群の中から、各ユーザのアバターの表示に用いる複数の画像データの組み合わせを決定する組み合わせ決定手段と、画像データ決定手段により各ユーザについて決定された組み合わせの画像データを用いて、各ユーザに、アバターが表示されるブログページを提供するブログページ提供手段とを備える。
【０００６】
すなわち、本発明のブログサービス提供システムが提供するブログサービスは、ユーザがブログに書き込んだ情報に基づき、ブログページ上のアバターの外観が自動的に変更されるものとなっている。従って、このブログサービス提供システムによれば、アバターを見るだけで、知り合いの状態が分かるブログサービス（アバターも情報伝達機能を有するブログサービス）を提供できることになる。
【０００７】
本発明のブログサービス提供システムを実現するに際しては、ブログページ提供手段として、幾つかの物品を所持したアバターが表示されるブログページを提供する手段を採用した上で、各ユーザが他人のブログに対して過去の一定期間内に行った行為の内容に基づき、各ユーザのアバターに所持させる物品の種類を決定する所持品変更手段を付加しておくことが出来る。
【０００８】
また、ブログページ提供手段として、背景画像上にアバターが表示されるブログページを提供する手段を採用した上で、各ユーザの所在地域を特定するための所在地域特定手段と、各地域の天候を特定するための天候特定手段と、天候特定手段により天候が特定できた各地域に所在している各ユーザのアバターの背景画像を、特定できた天候を表すものに変更する背景変更手段とを付加することも出来る。
【０００９】
また、天候特定手段として、各ユーザがブログに書き込んだ情報に基づき、各ユーザの所在地域における天候の特定を試みる手段を採用しておくことも出来る。
【発明の効果】
【００１０】
本発明のブログサービス提供システムによれば、アバターも情報伝達機能を有するブログサービスを提供できる。
【図面の簡単な説明】
【００１１】
【図１】本発明の一実施形態に係るブログサービス提供システムの全体構成図。
【図２】実施形態に係るブログサービス提供システムの構成図。
【図３】個人データＤＢの説明図。
【図４】本文データＤＢの説明図
【図５】コメントデータＤＢの説明図。
【図６】アバター人体パーツデータＤＢの説明図
【図７】アバター小物データＤＢの説明図。
【図８】アバター背景データＤＢの説明図
【図９】アバター位置データＤＢの説明図。
【図１０】位置履歴ＤＢの説明図
【図１１】ブログ履歴管理ＤＢの説明図。
【図１２】位置情報ＤＢの説明図。
【図１３】アバター発言履歴管理ＤＢの説明図。
【図１４】検索ワード管理ＤＢの説明図。
【図１５】キーワードパターンＤＢの説明図。
【図１６】テキスト解析結果ＤＢの説明図。
【図１７】ブログ履歴解析結果ＤＢの説明図。
【図１８】アバター人体パターンＤＢの説明図。
【図１９】アバター小物パターンＤＢの説明図。
【図２０】ポジティブパターンＤＢの説明図。
【図２１】実施形態に係るブログサービス提供システムの機能の説明図。
【図２２】実施形態に係るブログサービス提供システムの機能の説明図。
【発明を実施するための形態】
【００１２】
以下、本発明の実施の形態について、図面を参照して詳細に説明する。
【００１３】
図１に示してあるように、本発明の一実施形態に係るブログサービス提供システムは、ブログ提供システム１０、アバター提供システム２０、行動履歴管理システム３０、解析システム４０及びマッチングシステム５０を備えたシステムである。
【００１４】
このブログサービス提供システムは、ブログ上に表示されるアバターの外観（表情）、持ち物、背景が、ブログへの書込内容等に基づき自動的に変更されるブログサービスを提供するために開発したものである。
【００１５】
ブログサービス提供システムが備えるブログ提供システム１０は、各ブログページを要求者に提供する処理、各ブログページへのコメントの書込に応答する処理等を行うコンピュータシステムである。
【００１６】
このブログ提供システム１０は、図２に示してあるように、ブログサーバ１１、個人データＤＢ１２、本文データＤＢ１３、コメントデータＤＢ１４を備えている。ブログサーバ１１は、ブログ提供システム１０内に設定されているプログラムに従って各種の処理を実行するユニット（ブログ提供システム１０内のＣＰＵを中心とした部分／回路）である
。
【００１７】
個人データＤＢ１２は、複数の顧客のそれぞれについて、その顧客の顧客ｉｄ、氏名、アカウント名、年齢、住所等を記憶したデータベースである。なお、本明細書において、顧客とは、ブログサービス提供システムの運用者（以下、システム運用者と表記する）との間で所定の契約を行うことにより、顧客ｉｄを得た者のことである。
【００１８】
この個人データＤＢ１２は、図３に示してあるように、顧客毎に、アバター（人物）ｉｄ、アバター更新フラグ、お友達ｉｄ、ソーシャルメディアｉｄ、ソーシャルメディアＰＷ、ログインした日付、ログアウトした日付も記憶可能なデータベースとなっている。なお、アバター（人物）ｉｄとは、アバターの識別情報のことであり、アバター更新フラグとは、アバターの自動更新、手動更新のいずれが指定されているかを示す数値情報（１：自動更新、２：自動更新）のことである。また、ソーシャルメディアｉｄ、ソーシャルメディアＰＷとは、それぞれ、顧客のソーシャルメディアシステム６０用のｉｄ、パスワード（ＰＷ）のことである。
【００１９】
ブログ提供システム１０（図２）が備える本文データＤＢ１３、コメントデータＤＢ１４は、各ブログページの現時点における内容を管理する（記憶しておく）ためのデータベースである。本文データＤＢ１３は、図４に示してあるように、顧客ｉｄ、本文テキスト番号、ＵＲＬ、本文テキスト、画像ＵＲＬ、トラックバックＵＲＬ、コメント番号、更新日付等からなる情報を複数個記憶可能なデータベースとなっている。また、コメントデータＤＢ１４は、図５に示してあるように、顧客ｉｄと、本文テキスト番号と、コメント番号、フラグ、コメントテキスト及び更新日からなる何組かの情報とを含む情報を複数個記憶可能なデータベースとなっている。なお、このコメントデータＤＢ１４内に記憶される各フラグは、コメント（コメントテキスト）が他顧客が書き込んだものである（「１」）か顧客自身が書き込んだものであるか（「２」）を示す情報である。
【００２０】
アバター提供システム２０（図２）は、ブログ提供システム１０にアバター（アバター表示用の画像データ）を提供するシステムである。図示してあるように、このアバター提供システム２０は、アバターサーバ２１、アバター人体パーツデータＤＢ２２、アバター小物データＤＢ２３、アバター背景データＤＢ２４及びアバター位置データＤＢ２５を備えている。
【００２１】
アバター人体パーツデータＤＢ２２は、図６に示してあるような構成・内容のデータベースである。
【００２２】
すなわち、アバター人体パーツデータＤＢ２２は、アバターの特定のパーツ（顔、髪等）についての複数の画像データの画像ＵＲＬとｉｄとを記憶したテーブルと、各アバターが、各パーツとしてどの画像データを使用すべきものであるか（及び各アバターの更新日時）を記憶しておくためのテーブル２２ａとを含むデータベースとなっている。
【００２３】
アバター小物データＤＢ２３は、図７に示してあるような構成・内容のテーブルを含むデータベースである。
【００２４】
すなわち、アバター小物データＤＢ２３は、特定の小物（バック、携帯電話等）についての複数の画像データの画像ＵＲＬとｉｄとを記憶した複数（多数）のテーブルと、各アバターが、現時点において、どのような小物を所持しているかを管理するためのテーブル２３ａとを含むデータベースとなっている。
【００２５】
アバター背景データＤＢ２４は、図８に示してあるような構成・内容のデータベースで
ある。
【００２６】
すなわち、アバター背景データＤＢ２４は、特定の状況下にあるとき（雨天時、降雪時等）にアバターの背景画像データとして使用する複数の画像データの画像ＵＲＬとｉｄとを記憶した複数のテーブルと、各アバターが、背景画像データとしてどの画像データを使用すべき状況にあるかを管理するためのテーブル２４ａとを含むデータベースとなっている。
【００２７】
アバター位置データＤＢ２５は、図９に示したように、複数の位置ｉｄのそれぞれについて、２つの画像ＵＲＬを記憶したテーブル２５ａと、複数のアバター（人物）ｉｄのそれぞれについて、位置ｉｄ及び更新日付を記憶しておくためのテーブル２５ｂとを含むデータベースである。
【００２８】
アバターサーバ２１は、アバター提供システム２０内に設定されているプログラムに従って各種の処理を実行するユニット（アバター提供システム２０内のＣＰＵを中心とした部分／回路）である。
【００２９】
このアバターサーバ２１が実行する主要な処理は、ブログサーバ１１からの，アバターの画像データ要求（アバター（人物）ｉｄを含むもの）に応答して、ブログサーバ１１に、アバターの画像データを供給する処理である。
【００３０】
そして、アバターサーバ２１は、当該処理時、その時点におけるアバター人体パーツデータＤＢ２２内の情報からアバターの各部の画像データを特定し、その時点におけるアバター小物データＤＢ２３内の情報からアバターの所持させる小物の画像データを特定し、その時点におけるアバター背景データＤＢ２４内の情報からアバターの背景の画像データを特定するユニットとして構成（プログラミング）されている。
【００３１】
また、アバターサーバ２１は、マッチングサーバ５１（詳細は後述）から、アバター人物データＤＢ２２の更新指示（テーブル２２ａ内の情報の更新指示）、アバター小物データＤＢ２３の更新指示（テーブル２３ａ内の情報の更新指示）、アバター背景データＤＢ２４の更新指示（テーブル２４ａ内の情報の更新指示）を受信した場合には、その指示に従って、テーブル２２ａ／２３ａ／２４ａ内の情報（つまり、アバターの外観や所持物や背景を指定する情報）を書き換えるようにも、構成（プログラミング）されている。
【００３２】
行動履歴管理システム３０（図２）は、各顧客のアバターの表情等を決定するために使用する情報を収集・管理するシステムであり、行動履歴管理サーバ３１、位置履歴ＤＢ３２、ブログ履歴管理ＤＢ３３、位置情報ＤＢ３４、アバター発言履歴管理ＤＢ３５及び検索ワード管理ＤＢ３６を備えている。
【００３３】
行動履歴管理サーバ３１は、行動履歴管理システム３０内に設定されているプログラムに従って各種の処理を実行するユニット（行動履歴管理システム３０内のＣＰＵを中心とした部分／回路）である。
【００３４】
位置履歴ＤＢ３２は、図１０に示したように、顧客ｉｄと緯度と経度と撮影日時とからなる情報を複数個記憶できるデータベースである。この位置履歴ＤＢ３２は、各顧客が、ＧＰＳデータを含む写真（デジタルカメラの撮影結果）をブログに掲載した場合等に、情報が追加されるデータベースとなっている。
【００３５】
ブログ履歴管理ＤＢ３３は、各顧客のブログの利用履歴を管理する（記憶しておく）ためのデータベースである。図１１に示したように、このブログ履歴管理ＤＢ３３には、各
顧客が行った、コメントの書込以外の行為を記憶しておくためのテーブル３３ａが含まれている。また、ブログ履歴管理ＤＢ３３には、各顧客のブログの各ブログページの閲覧日付を記憶しておくためのテーブル３３ｂ（或る顧客の或るブログページが閲覧されたときに情報が追加されるテーブル３３ｂ）、及び、各顧客のコメントの書込日付等を記憶しておくためのテーブル３３ｃも含まれている。
【００３６】
位置情報ＤＢ３４は、図１２に示したように、複数の地域のそれぞれについて、その場所に割り当てられている位置ｉｄと、その地域の地名と、その地域を代表する場所の緯度及び経度とを記憶したデータベースである。
【００３７】
アバター発言履歴管理ＤＢ３５は、図１３に示したように、顧客ｉｄとアバター（人物）ｉｄと発言と更新日とを含む情報を複数個記憶可能なデータベースである。
【００３８】
検索ワード管理ＤＢ３６は、顧客が検索を行う度に情報（レコード）が追加される、図１４に示した構成のデータベースである。
【００３９】
解析システム４０（図２）は、各顧客のブログの内容を解析することによって、各顧客のアバターの表情等を決定するために使用する情報を用意するシステムであり、解析サーバ４１、キーワードパターンＤＢ４２、テキスト解析結果ＤＢ４３、ブログ履歴解析結果ＤＢ４４を備えている。
【００４０】
解析サーバ４１は、解析システム４０内に設定されているプログラムに従って各種の処理を実行するユニット（解析システム４０内のＣＰＵを中心とした部分／回路）である。
【００４１】
キーワードパターンＤＢ４２は、図１５に示したように、喜怒哀楽が関係する各種テキストのそれぞれについて、そのテキストが、嬉しい／悲しい／怒り／寂しい等のいずれの場合に使用されるものであるかを示す情報（“嬉しい”、“悲しい”等）を記憶したデータベースである。
【００４２】
テキスト解析結果ＤＢ４３、ブログ履歴解析結果ＤＢ４４は、それぞれ、図１６、図１７に示した構成を有するデータベースである。これらのＤＢ内に記憶される各値の意味を説明する代わりに、解析サーバ４１の機能を説明することにする。
【００４３】
解析サーバ４１は、通常は、以下のイベントの発生を監視する監視処理を実行している。
【００４４】
Ａ：本文データＤＢ１３が更新される（或る顧客のブログに本文テキストが書き込まれる）。
Ｂ：ソーシャルメディアシステム６０により各顧客（個人データＤＢ１２内にソーシャルメディアＩＤが記憶されている顧客）に関する新たな情報が公開される。
Ｃ：検索ワード管理ＤＢ３６が更新される。
Ｄ：ブログ履歴管理ＤＢ３３が更新される。
Ｅ：コメントデータＤＢ１４が更新される。
【００４５】
そして、解析サーバ４１は、Ａのイベントの発生を検出した場合には、キーワードパターンＤＢ４２を参照することよって、新たに書き込まれた本文テキストに含まれる“嬉しいテキスト”（“嬉しい”に対応づけられてキーワードパターンＤＢ４２内に記憶されているテキスト；以下、同様）の数、“悲しいテキスト”の数、“怒りテキスト”の数等を、計数する処理を行う。また、解析サーバ４１は、当該本文テキストの書込を行った顧客の所在地の天候の特定を試みる処理（本文テキストの内容を解析する処理）も行う。
【００４６】
上記２処理が完了した場合、解析サーバ４１は、全計数結果の総和Ｓを求める。そして、解析サーバ４１は、各テキストについての計数結果、当該計数結果／Ｓ×１００を、テキスト解析結果ＤＢ４３（図１６）の、処理した本文テキストを書き込んだ顧客（以下、注目顧客と表記する）についての各テキスト用の“〜（数）”欄、“〜（％）”欄（“嬉しい（数）”欄と“嬉しい（％）”欄等）に設定する。
【００４７】
そして、解析サーバ４１は、本文テキストから天候が特定できなかった場合には、監視処理を開始し、本文テキストから天候が特定できていた場合には、当該天候を示す情報と本文テキストを書き込んだ顧客の顧客ｉｄとを含む天候通知情報をマッチングサーバ５１に送信してから、監視処理を開始する。
【００４８】
解析サーバ４１は、Ｂのイベントの発生を検出した場合には、ソーシャルメディアシステム６０により新たに公開された情報に対して上記したものと同内容の処理（公開された情報を本文テキストとみなした処理）を行ってから、監視処理を再び開始する。
【００４９】
解析サーバ４１は、Ｃのイベントの発生を検出した場合には、検索ワード管理ＤＢ３６に追加されたテキストに対して上記したものと同内容の処理を行ってから、監視処理を再び開始する。
【００５０】
解析サーバ４１は、Ｄのイベントの発生を検出した場合には、ブログ履歴管理ＤＢ３３内の過去２４時間以内の行為に関する情報（ログアウト日付等が過去２４時間以内となっている情報）のみを処理対象として、顧客別に以下の各処理を行う。
【００５１】
１：“本文テキスト更新日”がｎｕｌｌでない情報（テーブル３３ａ参照）の数をカウントする。
２：“他ブログ閲覧した日付”がｎｕｌｌでない情報（テーブル３３ａ参照）の数をカウントする。
３：“他ブログ閲覧した日付”の平均時間を算出する。
４：“閲覧された日付”がｎｕｌｌでない情報（テーブル３３ｂ参照）の数をカウントする。
５：“閲覧された日付”の平均時間（単位は、分）を算出する。
６：“ログアウト日付”がｎｕｌｌでない情報（テーブル３３ａ参照）の数をカウントする。
７：“ログイン日付”と“ログアウト日付”から、ログイン継続時間の平均値（単位は、分）を算出する。
【００５２】
そして、解析サーバ４１は、ブログ履歴解析結果ＤＢ４４内の各顧客に関する“テキスト更新数”、“他ブログ閲覧数”、“他ブログ閲覧した平均時間（分）”、“閲覧されたページ数”、“閲覧されたページの平均時間（分）”、“ログイン数”、“ログイン平均時間（分）”を、それぞれ、対応する顧客についての１〜７の処理結果に変更する。その後、解析サーバ４１は、監視処理を再び開始する。
【００５３】
また、解析サーバ４１は、Ｅのイベントの発生を検出した場合には、新たに書き込まれたコメントを解析することにより、顧客の“ポジティブの割合”（顧客の精神状態の指標；単位は％）を算出する。そして、解析サーバ４１は、算出結果をマッチングシステム５０（マッチングサーバ５１）に通知してから、監視処理を開始する。
【００５４】
マッチングシステム５０（図２）は、マッチングサーバ５１、アバター人体パターンＤＢ５２、アバター小物パターンＤＢ５３、ポジティブパターンＤＢ５４を備えたシステム
である。
【００５５】
アバター人体パターンＤＢ５２は、図１８に示したような構成・内容のデータベースである。すなわち、アバター人体パターンＤＢ５２は、アバターの各パーツについて、そのパーツに使用すべき画像データのｉｄ（顔（輪郭）ｉｄ等）をテキスト解析結果ＤＢ４３内の幾つかの値から求めるための情報（テーブル）を保持したデータベースとなっている。
【００５６】
アバター小物パターンＤＢ５３は、図１９に示したような構成・内容のデータベースである。すなわち、アバター小物パターンＤＢ５３は、小物の種類別に、アバターに所持させるべき小物用画像データのｉｄをブログ履歴解析結果ＤＢ４４内の各値から求めるための情報（テーブル）を保持したデータベースとなっている。
【００５７】
ポジティブパターンＤＢ５４は、図２０に示したように、ポジティブの割合に対して、アバターの各パーツとして使用すべき画像データのｉｄを記憶したデータベースである。
【００５８】
マッチングサーバ５１は、マッチングシステム５０内に設定されているプログラムに従って、以下で説明するような各種の処理を実行するユニット（マッチングシステム５０内のＣＰＵを中心とした部分／回路）である。
【００５９】
マッチングサーバ５１は、テキスト解析結果ＤＢ４３内の或る顧客に関する情報の内容が変更された場合には、アバター人体パターンＤＢ５２を参照することにより、アバターの各パーツとして使用すべき画像データのｉｄを特定する。そして、マッチングサーバ５１は、特定したｉｄ群（ｉｄの組み合わせ）を含めたアバター人物データＤＢ２２の更新指示をアバターサーバ２１に対して送信する。
【００６０】
また、マッチングサーバ５１は、ブログ履歴解析結果ＤＢ４４内の或る顧客に関する情報の内容が変更された場合には、アバター小物パターンＤＢ５３を参照することにより、アバターに所持させるべき各小物の画像データのｉｄを特定する。そして、マッチングサーバ５１は、特定したｉｄ群を含めたアバター小物データＤＢ２３の更新指示をアバターサーバ２１に対して送信する。
【００６１】
マッチングサーバ５１は、“ポジティブの割合”が通知された場合には、通知された“ポジティブの割合”に対応づけられている各ｉｄをポジティブパターンＤＢ５４（図２０）から読み出す。そして、マッチングサーバ５１は、読み出したｉｄ群を含めたアバター人物データＤＢ２２の更新指示をアバターサーバ２１に対して送信する。
【００６２】
また、マッチングサーバ５１は、天候通知情報が送信されてきた場合には、その天候通知情報中の“天候を示す情報”からアバターの背景とすべき画像データを特定（決定）する。さらに、マッチングサーバ５１は、その天候通知情報中の顧客ｉｄに基づき、位置履歴ＤＢ３２及び位置情報ＤＢ３４を参照することにより、当該顧客ｉｄを有する顧客（以下、注目顧客と表記する）が所在している地域を特定すると共に、当該地域に所在している他の各顧客を特定する。
【００６３】
そして、マッチングサーバ５１は、注目顧客及び特定した各顧客に関する背景画像データを、天候通知情報中の“天候を示す情報”から決定した画像データとするための更新要求をアバターサーバ２１に対して送信する。
【００６４】
以上、説明した各部の機能から明らかなように、本実施形態に係るブログサービス提供システムが提供するブログサービスは、ブロク上に表示されるアバターの形態（表情、背
景、所持物）が図２１に例示したように、自動的に変化するものとなっている。従って、このブログサービス提供システムを用いておけば、アバターを見るだけで、知り合いの状態／状況が分かる環境（ブログの内容を実際に読まなくても知り合いの状態／状況が分かる環境）を実現できることになる。
【００６５】
また、或る地域からブログサービス提供システムにアクセスしている顧客が天候についての記事を記載した場合、図２２に模式的に示したように、同地域内の各顧客のアバターの背景が、当該地域における天候を表すものに変更される。なお、図２２の右側に示してある図は、アバターが室内にいる場合の天候の提示例を示した図である。
【００６６】
従って、ブログサービス提供システムを用いておけば、窓がない部屋で生活／仕事をしている者に、天気を知らせることが出来ることになる。
【符号の説明】
【００６７】
１０  ブログ提供システム
１１  ブログサーバ
１２  個人データＤＢ
１３  本文データＤＢ
１４  コメントデータＤＢ
２０  アバター提供システム
２１  アバターサーバ
２２  アバター人体パーツデータＤＢ
２３  アバター小物データＤＢ
２４  アバター背景データＤＢ
２５  アバター位置データＤＢ
２６  画像データＤＢ
３０  行動履歴管理システム
３１  行動履歴管理サーバ
３２  位置履歴ＤＢ
３３  ブログ履歴ＤＢ
３４  位置情報ＤＢ
３５  アバター発言履歴ＤＢ
３６  検索ワード管理ＤＢ
４０  解析システム
４１  解析サーバ
４２  キーワードパターンＤＢ
４３  テキスト解析結果ＤＢ
４４  部録履歴解析結果ＤＢ
５０  マッチングシステム
５１  マッチングサーバ
５２  アバター人体パターンＤＢ
５３  アバター小物パターンＤＢ
５４  ポジティブパターンＤＢ
６０  ソーシャルメディアシステム
【図１】
2012079073.tif 000003
【図２】
2012079073.tif 000004
【図３】
2012079073.tif 000005
【図４】
2012079073.tif 000006
【図５】
2012079073.tif 000007
【図６】
2012079073.tif 000008
【図７】
2012079073.tif 000009
【図８】
2012079073.tif 000010
【図９】
2012079073.tif 000011
【図１０】
2012079073.tif 000012
【図１１】
2012079073.tif 000013
【図１２】
2012079073.tif 000014
【図１３】
2012079073.tif 000015
【図１４】
2012079073.tif 000016
【図１５】
2012079073.tif 000017
【図１６】
2012079073.tif 000018
【図１７】
2012079073.tif 000019
【図１８】
2012079073.tif 000020
【図１９】
2012079073.tif 000021
【図２０】
2012079073.tif 000022
【図２１】
2012079073.tif 000023
【図２２】
2012079073.tif 000024